(57)【特許請求の範囲】
【請求項１】
確認対象の接地電極が接続されている接地極と商用電圧が印加されている一対の電圧極とを具備した電源コンセントに接続するための３極のプラグと、
前記プラグを介して前記商用電圧に１次巻線が接続されるトランスと、
前記接地電極の近傍に打設されて、前記トランスの２次巻線の一方が接続された補助電極と、
前記トランスの２次巻線の他方と前記プラグの接地極との間に配置されて接地状況を確認する確認部とを有し、
前記確認部は、前記トランスの２次側に流れる電流を計測する電流計測部を備えて、前記プラグを前記電源コンセントに接続することで前記トランスの２次側に流れる電流値から前記接地電極の状態を確認することを特徴とする接地状況確認装置。
【発明の詳細な説明】
【技術分野】
【０００１】
本発明は、接地電極の状態を確認するための接地状況確認装置に関する。
【背景技術】
【０００２】
感電事故防止のために、漏電遮断器の設置が有効であり広く実施されている。この漏電遮断器の確実な動作には正しく接地されていることが重要である。ところが、接地状況の確認は、接地線施工時に実施される程度で、その後実施されることは少なかった。
ところが、接地状況は時間の経過等で変化して接地不良になる場合があり、定期的に接地電極の状態を確認するのが望ましい。
このような経年的に変化した接地状況を確認する装置として例えば特許文献１の接地系統接続状態確認装置がある。特許文献１では、柱上トランスの２次側にＢ種接地が成されていることを利用して、分電盤の集中接地端子部に電流を流し込んで接地電極の接地電極の状況を確認する技術であり、Ｂ種接地は抵抗値が小さいため、比較的小さい電圧を印加して電流を流すことで判定できた。
【先行技術文献】
【特許文献】
【０００３】
【特許文献１】特開２００９−２０４４５６号公報
【発明の概要】
【発明が解決しようとする課題】
【０００４】
しかしながら、上記特許文献１の接地系統接続状態確認装置は、電路に組み込まれている漏電遮断器に電流が流れるため、測定のための電流を制限しないと漏電遮断器が遮断動作してしまい、稼働中の電気機器がある場合には停止してしまう問題があった。
【０００５】
そこで、本発明はこのような問題点に鑑み、漏電遮断器に電流を流すことなく接地状況を確認できる接地状況確認装置を提供することを目的としている。
【課題を解決するための手段】
【０００６】
上記課題を解決する為に、請求項１の発明は、確認対象の接地電極が接続されている接地極と商用電圧が印加されている一対の電圧極とを具備した電源コンセントに接続するための３極のプラグと、プラグを介して商用電圧に１次巻線が接続されるトランスと、接地電極の近傍に打設されて、トランスの２次巻線の一方が接続された補助電極と、トランスの２次巻線の他方とプラグの接地極との間に配置されて接地状況を確認する確認部とを有し、確認部は、トランスの２次側に流れる電流を計測する電流計測部を備えて、プラグを電源コンセントに接続することでトランスの２次側に流れる電流値から接地電極の状態を確認することを特徴とする。
この構成によれば、接地状況を確認するためにトランスの２次側に流れる電流は、補助電極、接地電極、電源コンセントの接地極、そして確認部で形成された閉回路を流れ、漏電遮断器を備えた電路には流れない。よって、確認電流で漏電遮断器が作動して負荷が接続された電路が遮断されるようなことがなく、電気設備が停止してしまう問題は発生しない。
【発明の効果】
【０００７】
本発明によれば、接地電極の状態を確認する回路に漏電遮断器は含まれないため、確認電流で漏電遮断器が作動することが無く、接地状況の確認時に電気設備が停止してしまう問題は発生しない。
【図面の簡単な説明】
【０００８】
【図１】本発明に係る接地状況確認装置の一例を示す構成図である。
【発明を実施するための形態】
【０００９】
以下、本発明を具体化した実施の形態を、図面を参照して詳細に説明する。図１は本発明に係る接地状況確認装置の一例を示す構成図であり、１は確認対象の接地電極、２は接地電極１の近傍に打設された補助電極、３は電源コンセント１１に接続するプラグ、４は絶縁トランス、５は電流を制限するための制限抵抗、６は確認回路を開閉操作する接点、７は接地状況を確認する確認部である。
【００１０】
また、１２は柱上トランス、１３は漏電遮断器であり、柱上トランス１２は架空配設された高圧電路Ｑ１の端部に配置され、配設された高圧を１００Ｖ／２００Ｖの商用電圧に変圧して建物に引き込むための低圧を生成し、低圧電路Ｑ２に供給している。低圧電路Ｑ２は、２本の電圧線Ｌ１，Ｌ２と中性線Ｎとから成る単相３線式電路で構成されている。
尚、高圧電路Ｑ１は、例えば６６００Ｖの高電圧三相電路であるが、ここでは説明の都合で低圧電路Ｑ２と共に単相３線式電路としてある。
【００１１】
電源コンセント１１は、２つの電圧極１１ａ，１１ｂと１つの接地極１１ｃから成る３極を備え、接地極１１ｃは接地端子１４を介して接地電極１に接続されている。一方、２つの電圧極１１ａ，１１ｂは漏電遮断器１３の２次側に図示しない分岐ブレーカを介して接続されている。
尚、漏電遮断器１３及び図示しない分岐ブレーカは、建物内に設置された分電盤内に設置されている。
【００１２】
絶縁トランス４は、１次巻線４ａが電源コンセント１１の電圧極１１ａ，１１ｂに対応するプラグ３の一対の電圧極に接続され、プラグ３が電源コンセント１１に接続された際に、電圧線Ｌ２（或いは電圧線Ｌ１）と中性線Ｎに接続される。
絶縁トランス４の２次巻線４ｂは、一方が補助電極２に接続され他方が電路電流を制限するための制限抵抗５、及び接点６を介して確認部７に接続されている。確認部７は、更に電源コンセント１１の接地極１１ｃに対応するプラグ３の接地極に接続されている。
【００１３】
確認部７は、回路電流（絶縁トランス４の２次側に流れる電流）を計測する電流計測部７ａ、電流値を閾値と比較する比較回路７ｂを有している。
【００１４】
上記の如く構成された接地状況確認装置による接地状況の確認は以下のように実施される。電源コンセント１１にプラグ３を差し込み接点６をオンすると、絶縁トランス４の２次側に電圧が発生して接地電極１と補助電極２との間で電流が流れる。具体的に、補助電極２、接地電極１、電源コンセント１１の接地極１１ｃ、確認部７、接点６、制限抵抗５で構成された閉回路に、絶縁トランス４の２次側に発生した電圧により電流が流れる。
確認部７では、電流計測部７ａがこの電流を計測し、比較回路７ｂが計測した電流値を予め設定された閾値と比較する。確認部７は、この結果計測した電流値が閾値以上であれば接地状態が正常であると判断し、閾値に満たなければ接地状態が不良と判断する。判断結果は、別途設けられた表示部に表示される。
【００１５】
このように、接地状況を確認するために絶縁トランス４の２次側に流れる電流は、補助電極２、接地電極１、電源コンセント１１の接地極１１ｃ、そして確認部７で形成された閉回路を流れ、漏電遮断器１３を備えた低圧電路Ｑ２には流れない。よって、確認電流で漏電遮断器１３が作動して負荷が接続された電路が遮断されるようなことがなく、電気設備が停止してしまう問題は発生しない。
【００１６】
尚、上記実施形態では、絶縁トランス４を低圧電路Ｑ２の電圧線Ｌ２（Ｌ１）と中性線Ｎに接続して確認電流を発生させているが、２本の電圧線Ｌ１，Ｌ２の間に絶縁トランス４を接続しても良い。確認部７が判断動作する閾値を電圧線Ｌ２と中性線Ｎ間の２倍にすれば同様に接地状況の確認ができる。
【符号の説明】
【００１７】
１・・接地電極、２・・補助電極、３・・プラグ、４・・絶縁トランス（トランス）、７・・確認部、１１・・電源コンセント、１３・・漏電遮断器。
【図１】
0006328515.tif 000002